(57)【特許請求の範囲】
【請求項１】
番組受信装置と無線端末とを含む番組受信システムであって、
前記番組受信装置は、
視聴する番組を受信可能であり、また複数の番組について、番組タイトル情報と番組内容情報を含む番組関連情報を受信可能な第一の受信部と、
前記視聴する番組を表示する、または前記複数の番組に関する番組タイトル情報または番組内容情報を前記複数の番組の各番組の番組状態に応じた形式で表示する第一の表示部と、
前記複数の番組のうち、所定の番組状態の番組について、該番組を識別する識別情報と該番組の番組状態を示す属性情報を前記無線端末に送信する第一の通信部と、を備え、
前記無線端末は、
前記番組受信装置から、前記識別情報および前記属性情報を受信する第二の通信部と、
前記番組受信装置が受信可能な複数の番組について、番組タイトル情報と番組内容情報を含む番組関連情報を、前記番組受信装置を介さない経路で受信する第二の受信部と、
前記番組受信装置を介さない経路で受信した番組関連情報に基づいて作成した番組表を表示し、該番組表において、前記番組受信装置から受信した識別情報で特定される番組に関する番組タイトル情報または番組内容情報を、前記番組受信装置から受信した属性情報に応じて、他の番組に関する番組タイトル情報または番組内容情報とは異なる形式で表示する第二の表示部と、
ユーザ操作を入力するユーザ操作入力部と、
を備え、
前記無線端末の前記第二の表示部における表示状態には、
前記第二の表示部に表示された番組表において、前記ユーザ操作入力部を介した操作入力により現在放送中の番組が選択された場合に、該選択された現在放送中の番組を前記番組受信装置で表示して視聴する処理を開始するための選択肢と、該選択された現在放送中の番組を前記番組受信装置で録画する処理を開始する選択肢の両者の選択肢を表示する第一の状態と、
前記第二の表示部に表示された番組表において、前記ユーザ操作入力部を介した操作入力により現在放送中以外の番組が選択された場合に、該選択された番組を前記番組受信装置で視聴予約または録画予約に関する処理を開始する選択肢を表示する第二の状態とがある
ことを特徴とする番組受信システム。
【請求項２】
請求項１に記載の番組受信システムであって、
前記番組状態を示す属性情報には、番組が視聴中状態であることを示す情報または番組の録画予約がなされている状態であることを示す情報が含まれることを特徴とする番組受信システム。
【請求項３】
複数の番組について、番組タイトル情報と番組内容情報を含む番組関連情報を受信可能であり、番組受信装置と通信可能な無線端末であって、
前記番組受信装置から、所定の番組について、該番組を識別する識別情報と該番組の番組状態を示す属性情報を受信する通信部と、
前記番組受信装置が受信可能な複数の番組について、番組タイトル情報と番組内容情報を含む番組関連情報を、前記番組受信装置を介さない経路で受信する受信部と、
前記番組受信装置を介さない経路で受信した番組関連情報に基づいて作成した番組表を表示し、該番組表において、前記番組受信装置から受信した識別情報で特定される番組に関する番組タイトル情報または番組内容情報を、前記番組受信装置から受信した属性情報に応じて、他の番組に関する番組タイトル情報または番組内容情報とは異なる形式で表示する表示部と、
ユーザ操作を入力するユーザ操作入力部と、
を備え、
前記表示部における表示状態には、
前記表示部に表示された番組表において、前記ユーザ操作入力部を介した操作入力により現在放送中の番組が選択された場合に、該選択された現在放送中の番組を前記番組受信装置で表示して視聴する処理を開始するための選択肢と、該選択された現在放送中の番組を前記番組受信装置で録画する処理を開始する選択肢の両者の選択肢を表示する第一の状態と、
前記表示部に表示された番組表において、前記ユーザ操作入力部を介した操作入力により現在放送中以外の番組が選択された場合に、該選択された番組を前記番組受信装置で視聴予約または録画予約に関する処理を開始する選択肢を表示する第二の状態とがある
ことを特徴とする無線端末。
【請求項４】
請求項３に記載の無線端末であって、
前記番組状態を示す属性情報には、番組が視聴中状態であることを示す情報または番組の録画予約がなされている状態であることを示す情報が含まれることを特徴とする無線端末。
【発明の詳細な説明】
【技術分野】
【０００１】
本発明は、ネットワーク端末システム、及び端末装置に関する。
【背景技術】
【０００２】
本技術分野の背景技術として、特開２００９−０５５６１４号公報（特許文献１）がある。この公報には、「リモコンと操作対象機器の間で双方向の通信が可能であることから、送達確認により確実な通信を行なったり、ＧＵＩ操作を活用した複雑なコマンド体系を取り扱ったり、比較的広い帯域を利用して動画像ストリーミングなど大容量データ伝送を行なうことができる。」と記載がある。
【先行技術文献】
【特許文献】
【０００３】
【特許文献１】特開２００９−０５５６１４号公報
【発明の概要】
【発明が解決しようとする課題】
【０００４】
前記特許文献１には、ネットワークに接続された無線リモコンにより、表示装置で受信した番組情報を無線リモコン側に転送し、無線リモコン側でＥＰＧを表示する方法が開示されている。しかしながら、特許文献１に記載の発明の場合、表示装置側の番組情報を使用するため、番組情報のデータ転送量が多くなり、全データを一度に取得できないために表示が遅くなったりするなどの問題があった。また、テレビで視聴している番組や録画予約済みの番組の確認方法が開示されていない。さらには録画予約を変更する場合の方法が開示されていない。
【課題を解決するための手段】
【０００５】
上記課題を解決するために、例えば特許請求の範囲に記載の構成を採用する。
【発明の効果】
【０００６】
本発明によれば、視聴者がテレビ放送を視聴しているときに、他の端末装置で番組表を表示することにより、テレビの視聴を妨げないで番組予約を行うことができる。
【０００７】
上記した以外の課題、構成及び効果は、以下の実施形態の説明により明らかにされる。
【図面の簡単な説明】
【０００８】
【図１（ａ）】ネットワーク端末システムのブロック図の一例である。
【図１（ｂ）】テレビ受信機の構成図の一例である。
【図１（ｃ）】無線端末の構成図の一例である。
【図１（ｄ）】テレビ受信機のストレージ・メモリの構成の一例である。
【図１（ｅ）】無線端末のストレージ・メモリの構成の一例である。
【図２】番組状態情報のデータ形式の一例である。
【図３】番組状態情報の属性の詳細の一例である。
【図４】ＥＰＧに固有の識別表示をするための動作シーケンスの一例である。
【図５】テレビ受信機にＥＰＧを表示したときの画面表示の一例である。
【図６】無線端末に表示されるＥＰＧの画面表示の一例である。
【図７】無線端末に表示されるＥＰＧの画面表示の一例である。
【図８】無線端末に表示されるＥＰＧ起動時の画面表示の一例である。
【図９】無線端末のストレージ・メモリの構成の一例である。
【図１０】予約情報のデータ形式の一例である。
【図１１】予約情報のデータ形式の一例である。
【図１２】ＥＰＧによる番組予約時の動作シーケンスの一例である。
【図１３】録画予約マークの付いた番組を選択したときの予約設定画面の表示例である。
【図１４】予約詳細設定画面の表示例である。
【図１５】放送中の番組を選択したときの予約設定画面の表示例である。
【図１６（ａ）】テレビ受信機のストレージ・メモリの構成の一例である。
【図１６（ｂ）】無線端末のストレージ・メモリの構成の一例である。
【図１７】ＥＰＧ画面で番組を選択したときのＥＰＧ画面の表示例である。
【図１８】現在認証されている接続機器の予約設定画面の表示例である。
【図１９】現在認証されていない接続機器の予約設定画面の表示例である。
【図２０】現在認証されていない接続機器の予約詳細設定画面の表示例である。
【図２１】チャンネル配列情報の一例である。
【図２２】テレビ受信機のストレージ・メモリの構成の一例である。
【図２３】番組表から番組予約を行う場合の動作シーケンスの一例である。
【図２４】予約設定画面の表示例である。
【図２５】詳細設定画面の表示例である。
【図２６】予約状態情報表示の表示例である。
【図２７】第八の実施形態に係る予約情報のデータ形式の一例である。
【図２８】ＥＰＧによる番組予約時の動作シーケンスの一例である。
【図２９】番組予約内容の変更等を行う場合の動作シーケンスの一例である。
【図３０】番組予約マークの付いている番組を選択したときのＥＰＧ画面の表示例である。
【図３１】予約設定画面の表示例である。
【図３２】詳細設定画面の表示例である。
【図３３】予約状態情報表示の表示例である。
【図３４】無線端末のストレージ・メモリの構成の一例である。
【図３５】予約情報のデータ形式の一例である。
【図３６】ＥＰＧによる番組予約時の動作シーケンスの一例である。
【図３７】番組予約マークの付いていない番組を選択するときのＥＰＧ画面の表示例である。
【図３８】予約設定画面の表示例である。
【図３９】詳細設定画面の表示例である。
【図４０】番組予約一覧を無線端末に表示した場合の表示例である。
【発明を実施するための形態】
【０００９】
以下、本発明の実施形態について、図面を参照しながら説明する。
【実施例１】
【００１０】
以下においては、番組配列情報（イベント情報）を含むデジタル放送波を受信し、受信した番組配列情報に基づいてデジタル放送の電子番組表（ＥＰＧ）を表示するデジタル放送受信機能付きテレビ受信機および無線装置から構成されるネットワーク端末システムを例にして説明を行なう。
【００１１】
日本国で運用されているＢＳデジタル放送、ＣＳデジタル放送、および地上デジタルテレビジョン放送では、１つのトランスポンダ（周波数チャネル）に複数のトランスポートストリーム（以下、「ＴＳ」と略記する）を多重化して伝送している。ＴＳは、社団法人電波産業会（ＡＲＩＢ）の標準規格に従ったデータ構造を有しており、コンテンツデータとしての要素信号（ＥＳ：Elementary Stream）に対して、イベント情報としての番組配列情報をヘッダとして付加した ＴＳパケットで構成されている。
【００１２】
番組配列情報のデータ構造は、ＡＲＩＢ標準規格であるARIB STD-B10「デジタル放送に使用する番組配列情報標準規格」に従ったものである。番組配列情報は、ＭＰＥＧ（Moving Picture Expert Group）−２システム規格で規定された伝送制御情報であるＰＳＩ（Program Specific Information：番組特定情報）と、ＥＰＧなどを構築するためのＳＩ（Service Information：サービス情報）とで構成される。
【００１３】
ＳＩは、ＢＩＴ（Broadcaster Information Table：放送局情報テーブル）、ＳＤＴ（Service Description Table：サービス記述テーブル）、ＥＩＴ（Event Information Table：イベント情報テーブル）およびＴＯＴ（Time Offset Table：時刻オフセットテーブル）の４つのテーブルで構成されている。
【００１４】
ＢＩＴは、ネットワーク内の放送局に関する情報を記載したものである。ＳＤＴは、ＴＳ情報部とサービス情報部に分かれており、ＴＳ情報部は、ネットワークを識別するためのネットワークＩＤと、ＴＳを識別するためのＴＳ ＩＤ（Identifier）とを含んでいる。
【００１５】
ネットワークＩＤは、ＢＳネットワーク、ＣＳ１ネットワークおよびＣＳ２ネットワークには、それぞれ異なるネットワークＩＤが割り当てられている。また、地上デジタル放送の場合は、同じ地域では放送局ごとに異なる値のネットワークＩＤが割り当てられている。サービス情報部は、ネットワーク内で個々のサービス（チャンネル）を識別するための識別子であるサービスＩＤ（いわゆるチャンネル番号）を含んでいる。
【００１６】
ＥＩＴは、イベント(いわゆる番組)ごとの番組情報を記述したものであり、サービス情報部とイベント情報部に分かれている。サービス情報部は、ネットワーク内で個々のサービス（チャンネル）を識別するための識別子であるサービスＩＤ（いわゆるチャンネル番号）を含んでいる。イベント情報部は、イベントＩＤ、イベント開始時刻、イベント継続時間、イベントの名称(いわゆる番組タイトル)、イベントのジャンルなどを含んでいる。ＴＯＴは、現在時刻を記述したものである。
【００１７】
以下、本発明に係る第一の実施形態を説明する。
【００１８】
図１（ａ）は、第一の実施形態に係るネットワーク端末システムの一実施例を示すブロック構成図である。
【００１９】
本実施例のネットワーク端末システムは、例えば、テレビ受信機１、無線端末１５、無線ルーター１３、外部ネットワーク１４から構成される。図示の例は、情報通信端末としての携帯電話機等の移動体通信端末である無線端末１５の利用者が、その無線端末１５を持って家庭や店舗等で、テレビ受信機１でテレビ番組を視聴しているときの例である。
【００２０】
無線ルーター１３は、Ｗｉ−Ｆｉ（登録商標）などの無線ＬＡＮ機能を備え、通信回線を経由して外部ネットワークに接続できる。また、無線ルーター１３は、テレビ受信機１、テレビ受信機２４、無線端末１５、外部ネットワーク１４と接続されており、テレビ受信機１、テレビ受信機２４または無線端末１５は、インターネット網から情報を入手することができる。
【００２１】
また、無線ルーター１３は、テレビ受信機１またはテレビ受信機２４とは、有線ＬＡＮまたは無線ＬＡＮで接続されており、無線端末１５とは無線ＬＡＮで接続されているものとする。ここで、Ｗｉ−Ｆｉは、ＩＥＥＥ(米国電気電子学会)の規格「IEEE 802.11a/IEEE 802.11b」で策定された無線ＬＡＮ（Local Area Network）の標準規格である。
【００２２】
図１（ｂ）は、テレビ受信機１の構成図である。
【００２３】
テレビ受信機１は、アンテナ３８に接続され、チューナ・復調部２、信号分離部３、制御部４、選局制御部５、入力手段６、ストレージ８、メモリ３７、重畳部１０、表示部１１、通信Ｉ／Ｆ１２、音声復号部３９、映像復号部４０、スピーカ４１、音声出力部４２、映像出力部４３などを含む。それぞれの処理部がバス１２０を介して接続される。
【００２４】
また、テレビ受信機１は、アプリケーションプログラムをストレージ８に格納可能としており、制御部４がストレージ８から上記プログラムをメモリ３７に展開し、制御部４が上記プログラムを実行することでさまざまな機能を実現することができる。以後の説明では説明を簡単にするため、制御部４が各アプリケーションプログラムを実行して実現する各種機能を、各種プログラム機能部が主体となって実現することとして説明する。
【００２５】
なお、アプリケーションプログラムは、テレビ受信機１が出荷されるまでに予めストレージ８に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介してテレビ受信機１にインストールされても良い。また、通信Ｉ／Ｆ１２及び無線ルーター１３を介して外部ネットワーク１４からダウンロードしてインストールすることも可能である。
【００２６】
また、アプリケーションプログラムの各種機能は同様の機能を持つ処理部として、ハードウェアで実現することも可能である。ハードウェアとして実現する場合は、各処理部が主体となって各機能を実現する。
【００２７】
入力手段６は、ユーザーからのテレビ受信機１に対する操作を受け付け、入力操作に関する制御情報を入力する入力手段であり、例えば、リモコン、キーボード、マウス等のポインティングデバイス等により実現される。
【００２８】
制御部４は、ユーザーの操作要求を入力手段６を経由して受け取り、信号分離部３、選局制御部５、ストレージ８、重畳部１０、通信Ｉ／Ｆ１２、各種プログラム機能部の各ブロックを制御する。
【００２９】
ストレージ８は、制御部４の指示により制御され、アプリケーションプログラムを保存することができる。また、アプリケーションプログラムで作成した各種情報を保存する。また、チューナ・復調部２や通信Ｉ／Ｆ１２から受信した信号から映像音声ストリーム等のコンテンツを保存してもよい。
【００３０】
メモリ３７は、制御部４の指示により制御される。メモリ３７に、ストレージ８に格納しているアプリケーションプログラムの機能部が展開される。
【００３１】
チューナ・復調部２は、選局制御部５により、所望のサービスのチャンネルに同調することで、放送局より放送信号を受信し、受信した放送信号を復調してトランスポートストリームを取得する。
【００３２】
選局制御部５は、入力手段６を経由してサービスを選局する指示を受け、指示に応じて選局するチャンネルを切り替えるようにチューナ・復調部２を制御する。また、選局制御部５は、各種プログラム機能部からの指示を受けとることができ、現在放送中のイベント（番組）を放送しているサービス（チャンネル番号）およびそのサービスが属する放送提示単位に切り替えるようにチューナ・復調部２を制御する。
【００３３】
通信Ｉ／Ｆ１２は、有線ＬＡＮまたは無線ＬＡＮにより、無線ルータ１３に接続される。また、通信Ｉ／Ｆ１２はＩｒＤＡ（登録商標）、Ｂｌｕｅｔｏｏｔｈ（登録商標）、ＮＦＣ（Near Field Communication）などの方法で外部の機器と無線ルータ１３を介さずに直接通信することが可能である。通信Ｉ／Ｆは、異なる通信方式をそれぞれのチップが行うものとして複数実装されていても良いし、複数の通信方式を一つのチップで扱うものとして実装されていても良い。通信Ｉ／Ｆ１２はテレビ受信機２４や無線端末１５と各種情報を送受信する。また、通信Ｉ／Ｆ１２は、外部ネットワークと接続された装置とも各種情報を送受信可能である。例えば、外部ネットワークと接続されたサーバからＩＰ放送や、ビデオオンデマンド、など形態でコンテンツストリーム（映像音声ストリーム）を受信することも可能である。また、外部ネットワークと接続されたサーバから映像ストリームやアプリケーションプログラムをダウンロードすることも可能である。ダウンロードした情報は、例えば、ストレージ８に格納される。
【００３４】
信号分離部３は、チューナ・復調部２で得たトランスポートストリームや、通信Ｉ／Ｆ１２を介して得たコンテンツのストリームについて、映像データ、音声データ、字幕文データ、番組情報等、種類ごとに分離する。また番組情報（例えば、番組配列情報ＳＩ）を取得し、他の処理ブロックに送信する機能を有する。また、他の処理部からデータ送信要求があった場合には、指定されたデータを、要求元へデータを送信する。
【００３５】
音声復号部３９は、信号分離部３で分離した音声データを復号する。音声復号部３９で復号された音声情報は、スピーカ４１から出力される。音声復号部３９で復号された音声情報は、音声出力部４２から外部機器へ出力してもよい。
【００３６】
映像復号部４０は、信号分離部３で分離した映像データを復号する。映像復号部４０で復号された映像情報は、重畳部１０に送られる。
【００３７】
重畳部１０は、映像復号部４０から送られら復号映像情報に各種プログラム機能部で作成されたＥＰＧ画像、ＯＳＤ画像や、信号分離部３から分離された各種情報（字幕情報、字幕スーパー、データ放送データ等）から生成された画像等を重畳する。
【００３８】
重畳部１０を経た映像情報は表示部１１で表示する。表示部１１は、例えばテレビやパソコンのディスプレイあるいは液晶パネル等によって構成される。また、重畳部１０を経た映像情報は、映像出力部４３から外部機器へ出力してもよい。
【００３９】
また、信号分離部３で所定の番組についてのトランスポートストリームを分離し、映像や音声を復号せずに出力するデジタルＩ／Ｆ４４を設けてもよい。
【００４０】
テレビ受信機２４の各部の構成は、テレビ受信機１と同様のため、ここでは説明を省略する。本実施例では１はテレビ受信機として説明をするが、レコーダーなどで代替することも可能であり、この場合は図１（ｂ）のテレビ受信機の構成からスピーカ４１や表示部１１を省略することも可能である。
【００４１】
図１（ｃ）は無線端末１５の構成図である。
無線端末１５は、例えば、通信Ｉ／Ｆ１６、制御部１７、表示部１９、入力手段２０、信号分離部２１、チューナ・復調部２２、ストレージ２５、移動体通信Ｉ／Ｆ３１、メモリ３２、加速度センサ部３３、地磁気センサ部３４、ＧＰＳ受信部３５、ジャイロセンサ部３６を有し、それぞれの処理部がバス１２１を介して接続される。
【００４２】
また、無線端末１５は、アプリケーションプログラムをストレージ２５に格納しており、制御部１７がストレージ２５から上記プログラムをメモリ３２に展開し、制御部１７が上記プログラムを実行することで各種機能を実現することができる。以後の説明では説明を簡単にするため、制御部１７が各アプリケーションプログラムを実行して実現する各種機能を、各種プログラム機能部が主体となって実現することとして説明する。
【００４３】
なお、アプリケーションプログラムは、無線端末１５が出荷されるまでに予めストレージ２５に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介して無線端末１５にインストールされても良い。また、通信Ｉ／Ｆ１６及び無線ルーター１３を介して外部ネットワーク１４からダウンロードしてインストールしてもよい。若しくは移動体通信Ｉ／Ｆ３１を介して基地局２３を介して配信元からダウンロードしてインストールしてもよい。さらに、ネットワークを介してアプリケーションプログラムを取得したパーソナルコンピュータ（ＰＣ）に図示しない外部機器接続Ｉ／Ｆを介して接続し、ＰＣから無線端末１５にムーブまたはコピーしてインストールすることも可能である。
【００４４】
また、アプリケーションプログラムは、同様の機能を持つ処理部として、ハードウェアで実現することも可能である。ハードウェアとして実現する場合は、各処理部が主体となって各機能を実現する。
【００４５】
通信Ｉ／Ｆ１６は、Ｗｉ‐ｆｉや無線ＬＡＮ、ＩｒＤＡ、Ｂｌｕｅｔｏｏｔｈ、ＮＦＣ（Near Field Communication）などの方法で、無線ルータ１３を介さずに外部の機器と直接通信することが可能である。通信Ｉ／Ｆは、テレビ受信機１の通信Ｉ／Ｆ１２と各種情報の送受信を行う。また、通信Ｉ／Ｆ１６は、外部ネットワークと接続され、外部ネットワーク上のサーバ等と情報の送受信を行う。通信Ｉ／Ｆは、Ｗｉ−Ｆｉ専用の通信Ｉ／Ｆなどのように、異なる通信方式を行うものとして複数実装されていても良いし、複数の通信方式を扱うチップとして実装されていても良い。
【００４６】
移動体通信Ｉ／Ｆ３１は、ＧＳＭ（Global System for Mobile Communications：登録商標）やＷ−ＣＤＭＡ(Wideband Code Division Multiple Access：登録商標)、ＣＤＭＡ２０００(Code Division Multiple Access：登録商標)ＬＴＥ（Long Term Evolution：登録商標）などの移動体通信網を利用して基地局２３を通して通信ネットワークに接続され、通信ネットワーク上のサーバと情報の送受信を行なうことができる。
【００４７】
制御部１７は、ユーザーの操作要求を入力手段２０を経由して受け取り、信号分離部２１、表示部１９、通信Ｉ／Ｆ１６、各種プログラム機能部を制御する。
【００４８】
制御部１７は、通信Ｉ／Ｆ１６及び無線ルーター１３を経由して外部ネットワーク１４、または、移動体通信Ｉ／Ｆ３１及び基地局２３を経由して外部ネットワーク１４からも番組情報を抽出し番組配列情報を取得でき、各種プログラム機能部に渡す機能も有する。
【００４９】
本実施例では、信号分離部２１でデジタル放送の番組情報を抽出し番組配列情報ＳＩを取得する場合の例について説明するが、通信Ｉ／Ｆ１６や移動体通信Ｉ／Ｆ３１を介して外部ネットワークや配信元から番組配列情報ＳＩを取得することも可能である。この場合は信号分離部２１及びチューナ・復調部２２を無線端末１５の構成から省略することも可能である。
【００５０】
ストレージ２５は、制御部１７の指示により制御され、アプリケーションプログラムを保存することができる。また、アプリケーションプログラムで作成した各種情報を保存する。また、チューナ・復調部２２、通信Ｉ／Ｆ１６、または移動体通信Ｉ／Ｆ３１から受信した信号から映像音声ストリーム等のコンテンツを保存してもよい。
【００５１】
メモリ３２は、制御部１７の指示により制御される。制御部１７によってメモリ３２に、ストレージ２５に格納しているアプリケーションプログラムの機能部が展開される。
【００５２】
表示部１９は、画像や映像を表示する。表示する画像、映像はアプリケーションプログラムで生成された画像でもよく、チューナ・復調部２２を介して受信したコンテンツの画像、映像でもよく、通信Ｉ／Ｆ１６を介して外部ネットワーク上のサーバから受信した画像、映像でもよく、通信Ｉ／Ｆ１６を介してテレビ受信機１から受信した画像、映像でもよく、移動体通信Ｉ／Ｆ３１を介して通信ネットワーク上のサーバから配信された画像、映像でもよい。また、表示部１９は、例えば下記のタッチパネル等と一体として構成されてもよい。
【００５３】
入力手段２０は、ユーザーからの無線端末１５に対する操作を受け付け、入力操作に関する制御情報を入力する入力手段であり、例えば、物理的なボタンやタッチパネルなどを用いることができる。
【００５４】
チューナ・復調部２２、信号分離部２１は、それぞれテレビ受信機１のチューナ・復調部２、信号分離部３、と同等の働きを持つ。
【００５５】
加速度センサ部３３は、無線端末１５にかかる加速度を測定する。制御部１７は、例えば加速度センサ部３３により重力加速度を測定することによって、無線端末１５のどの部分が上方であるのかを知ることができ、表示部１９に表示させる画面の上方を加速度センサ部３３が測定した上方と合わせるように表示させることによって、ユーザによる無線端末１５の持ち方に合わせた画面を表示させることができる。
【００５６】
地磁気センサ部３４は、複数の磁気センサを利用するなどして地磁気を測定する。
【００５７】
ＧＰＳ受信部３５は、ＧＰＳ（Ｇｒｏｂａｌ  Ｐｏｓｉｔｉｏｎｉｎｇ  Ｓｙｓｔｅｍ）を利用して複数の衛星から送信される信号を受信する。制御部１７は、ＧＰＳ受信部３５が受信した信号を基に、無線端末１５の位置情報を計算することができる。制御部１７は、例えば通信Ｉ／Ｆや移動体通信Ｉ／Ｆを介してネットワークから番組配列情報ＳＩを取得する場合に、無線端末１５の位置情報を番組配列情報ＳＩの送信元に送信し、番組配列情報ＳＩの送信元は無線端末１５がある地域に応じた番組配列情報ＳＩを無線端末１５に送信することができる。
【００５８】
ジャイロセンサ部３６は、無線端末１５をユーザが動かした場合などに発生する無線端末１５の角速度を測定する。
【００５９】
図１（ｄ）は、テレビ受信機１の構成のうちストレージ８とメモリ３７を示している。図１（ｄ）において、テレビ受信機１は、ストレージ８に番組予約データ２２０１、ＥＰＧ作成プログラム２００１、番組予約プログラム２００２、番組状態情報作成プログラム２００３を格納しており、制御部４がＥＰＧ作成プログラム２００１、番組予約プログラム２００２、番組状態情報作成プログラム２００３をメモリ３７にＥＰＧ作成部２１０１、番組予約部２１０２、番組状態情報作成部２１０３として展開した状態を示している。ＥＰＧ作成プログラム２００１、番組予約プログラム２００２は、製品の出荷時点でストレージ８に格納しておいてもよく、通信Ｉ／Ｆ１２を介してダウンロードしてもよい。
【００６０】
番組予約データ２２０１は、番組予約部２１０２によって作成される情報であって、各番組の予約の詳細情報である予約情報によって構成される。予約情報は、予約対象の番組を一意に特定するためのネットワークＩＤおよびサービスＩＤおよびイベントＩＤを含む識別情報と、視聴予約か録画予約かを示す情報および対象番組を録画する場合は録画の画質を示す情報および録画先（ストレージ８か、デジタルＩ／Ｆ４４に接続された外部ストレージか、など）を示す情報などの録画予約または視聴予約を実行するに際して必要な予約状態情報と、が含まれる。
【００６１】
ＥＰＧ作成部２１０１は、信号分離部３が分離した番組配列情報を取得し、取得した番組配列情報に基づいてサービスＩＤを横に配列し、各サービスＩＤごとに時系列に沿って下方向に番組欄を並べた電子番組表を作成する。電子番組表の各番組欄には番組配列情報に含まれる番組内容の詳細などの一部または全部を配置することができる。
【００６２】
番組予約部２１０２は、番組予約を行うためのＧＵＩ（Graphical User Interface）を作成し、ＧＵＩに対してユーザーが入力手段６で入力した内容に従って予約情報を作成し、番組予約データ２２０１に格納して管理する。また、番組予約データ２２０１に記載された予約情報の内容に従い、番組予約が視聴予約である場合は、予約時刻になった場合に選局制御部５に対して予約された番組を放送するチャンネルのサービスＩＤを送信し、送信したサービスＩＤが示す番組を表示部１１に表示させる。番組予約が録画予約である場合も同様にして予約された番組を放送するチャンネルのサービスＩＤを選局制御部５に送信するが、映像復号部４０及び音声復号部３９が復号した映像及び音声を符号化してストレージ８にコンテンツとして格納する。
【００６３】
番組状態情報作成部２１０３は、信号分離部３によって分離された番組配列情報ＳＩに記載された識別情報から、所定の属性を持っている番組の識別情報を取得し、取得した識別情報に属性を付すことで番組状態情報を作成する。
【００６４】
また、図１（ｅ）は、無線端末１５の構成のうちストレージ２５とメモリ３２を示している。図１（ｅ）は、ストレージ２５にＥＰＧ作成プログラム３００１を格納しており、制御部１７がＥＰＧ作成プログラム３００１をメモリ３２にＥＰＧ作成部３１０１として展開した状態を示している。ＥＰＧ作成プログラム３００１は、製品の出荷時点でストレージ２５に格納しておいてもよく、通信Ｉ／Ｆ１６または移動体通信Ｉ／Ｆ３１を介してダウンロードしてもよい。
【００６５】
ＥＰＧ作成部３１０１は、テレビ受信機１のＥＰＧ作成部２１０１と同様であるため、説明を省略する。
【００６６】
次に、図２、図３を用いて本実施形態のネットワーク端末システムに関連するデータ形式について説明する。
【００６７】
図２は、番組状態情報のデータ形式の一例を示す図である。
番組状態情報は、図２に示されるように、ネットワークＩＤ１０１、サービスＩＤ１０２、イベントＩＤ１０３および属性１０４の形式で構成される。
【００６８】
図３は、図２の番組状態情報の属性１０４の詳細の一例を示す図である。属性１０４は、テレビ受信機１の視聴または予約等の番組状態１０５を示す。ここで、現在放送されている番組が「３」、選局制御部５によりチューナ・復調部２が同調しているチャンネルの番組であって、現在放送中の番組が「０」、後述する番組予約部２１０２が管理する予約情報にネットワークＩＤ、サービスＩＤ、イベントＩＤが登録されている番組が「１」、「２」、「４」であり、録画予約の場合は「１」、視聴予約の場合は「２」、お好み自動録画予約の場合は「４」である。
【００６９】
次に、図１、図２、図３および図４を用い、入力手段２０がユーザーからの操作を受け無線端末１５がＥＰＧを表示部１９に表示する場合の例について説明する。
【００７０】
図４は、ＥＰＧ作成部３１０１が、ＥＰＧに固有の識別表示を行うための動作シーケンスの一例を示す図である。
ＥＰＧ作成部３１０１は、入力手段２０によりＥＰＧ起動の指令を受けると（Ｓ４０１）、信号分離部２１から分離された番組配列情報ＳＩを取得する。ＥＰＧ作成部３１０１は、番組配列情報ＳＩに含まれるＥＩＴに基づきＥＰＧ画面を作成し（Ｓ４０２）、表示部１９にＥＰＧ画面を表示させる。また、ＥＰＧ作成部３１０１は、テレビ受信機１に対して、番組状態情報の送信を要求する（Ｓ４０３）。
【００７１】
番組状態情報作成部２１０３は、番組状態情報の送信要求を受信すると、ストレージ８に記録されている番組予約データ２２０１を参照して録画予約、視聴予約のある番組の識別情報を取得する。また、番組配列情報ＳＩに含まれる現在視聴中の番組及び放送中の番組の識別情報を取得する。そして取得した識別情報に、各番組の番組状態に応じた属性を付して番組状態情報を作成し、無線端末１５の通信Ｉ／Ｆ１６を経由してＥＰＧ作成部３１０１に送信する。
【００７２】
ＥＰＧ作成部３１０１は、番組状態情報作成部２１０３から送信された番組状態情報を受信し（Ｓ４０４）、信号分離部２１から分離された番組配列情報ＳＩに含まれる識別情報に、受信した番組状態情報に記載の識別情報と一致するものがあった場合は（Ｓ４０５：ＹＥＳ）、受信した番組状態情報に含まれるその番組の属性１０４に応じて図６に示すようにその番組に対して固有の識別表示をしたＥＰＧ画面を作成し、表示部１９に表示させる。
【００７３】
ＥＰＧ作成部２１０１もＥＰＧ作成部３１０１と同様にして、番組状態情報を番組状態情報作成部２１０３から取得してＥＰＧ画面を作成し、作成したＥＰＧ画面を重畳部１０を介して表示部１１に表示させる。
【００７４】
図５は、テレビ受信機１にＥＰＧ画面を表示したときの画面表示の一例を示す図である。マーク１０６は視聴予約、マーク１０７は録画予約を示すマークであり、ＥＰＧに表示される番組の予約状態が判別できるようになっている。また、四角枠１０８は、現在視聴中の番組を示すものである。
【００７５】
番組状態情報の属性が「０」（現在視聴中）の番組が１０８、属性が「１」（番組予約(録画)）の番組が１０７、属性が「２」(番組予約(視聴))の番組が１０６のように表示される。本実施例の説明では、図５は無線端末１５に表示されるＥＰＧの画面と対比して説明するためのものであり、操作および操作の説明は省略する。
【００７６】
図６は、無線端末１５に表示されるＥＰＧの画面表示の一例を示す図である。マーク１０９またはマーク１１０は、それぞれ、図５のマーク１０６またはマーク１０７に対応している。また、四角枠１１１は、図５の四角枠１０８に対応している。本実施例では、テレビ受信機１と無線端末１５で、固有の識別表示例として同じマーク形状または枠形状を使用しているが、それぞれで異なる形状にしても構わない。また、マークの表示、枠線の形態を変化させる他に、枠内に色を付す、番組名のフォントを変えるなど、属性１０４を有さない番組と属性１０４を有する番組とを区別可能に表示すればよい。
【００７７】
図に示すように、図５に示すテレビ受信機１に表示されるＥＰＧと図６に示す無線端末１５に表示されるＥＰＧは、表示部１１と表示部１９の表示能力の違い（表示アスペクト比、表示画素数等）により、チャンネルごとに時系列に従って配列されたイベント情報（番組）は、その配列が異なる場合があり、また、ＥＰＧの表示領域により同時に表示できるサービスＩＤ（チャンネル番号）およびイベント情報（番組）の数がテレビ受信機１と無線端末１５とで異なる場合がある。
【００７８】
本実施例の図６と図５でも、横方向のサービスＩＤ（チャンネル番号）と縦方向の時間軸表示は、テレビ受信機１ではそれぞれ５チャンネル、３時間表示となっていて、無線端末１５ではそれぞれ３チャンネル、４時間表示となっているが、ＴＶ１と無線端末１５に表示される視聴または予約している番組の情報が共有されているため、ユーザーは、テレビ受信機のＥＰＧと無線端末のＥＰＧの両方を見比べることなく、視聴または予約している番組をユーザーが認識することが可能となる。
【００７９】
なお、以上では無線端末１５からの要求時に番組状態情報を作成するとして説明したが、番組状態情報作成部２１０３が予め番組状態情報を作成しておき、番組状態に変更がある毎に、制御部４が更新するようにし、無線端末１５からの要求があった場合に番組状態情報を送信しても良い。
【００８０】
また、特に頻繁に更新される図３の「現在視聴中」及び「放送中」の番組状態情報のみを無線端末１５からの要求があった場合に作成し、その他の番組状態情報は予め作成することも可能である。
【００８１】
さらに、テレビ受信機１は番組状態情報が作成または更新された日時を番組状態情報に記録し、無線端末１５が番組状態情報の送信を要求した場合に前回の更新日時を含めて送信することで、前回の無線端末１５の番組状態情報の更新以降の更新のみを送信すれば、無線端末１５の番組状態情報を最新のものに更新できる。
【００８２】
これらによって、無線端末１５から頻繁に要求があった場合でも、番組状態情報を作成する処理を省くことができ、応答速度を速めることもできる。
【実施例２】
【００８３】
以下、本発明に係る第二の実施形態を、図１、図７および図８を用いて説明する。
なお、本実施形態では、第一の実施形態と比較し、異なるところを強調して説明する。
本実施形態でのネットワーク端末システムは、第一の実施形態における図１（ａ）から（ｅ）までと同様であるため説明を省略する。
【００８４】
図７は、本実施形態での無線端末１５に表示されるＥＰＧの画面表示の一例を示す図である。
本実施形態の制御部１７は、第一の実施形態と同様にして受信した番組状態情報に「現在視聴中」を示す属性１０４「０」の番組があった場合で、番組状態情報に含まれるこの番組の識別情報と、信号分離部２１から分離された番組配列情報に含まれる識別情報とが一致する場合は、この番組の識別情報に含まれるサービスＩＤが、他のサービスＩＤよりも優先的に表示部１９の中央に配列されるように制御する。
【００８５】
本実施形態における表示部１９のＥＰＧ表示では、横方向にサービスＩＤを配列し縦方向に時系列に沿ってイベントを配置しているが、現在視聴中の番組１１１（女神の市場）が含まれるサービスＩＤ（放送局：東テレ）を、他のサービスＩＤよりも優先してＥＰＧ表示の中央に配列するように表示する。表示部１９に、横方向に偶数局が配列される場合は、例えば４局表示のような場合は、左から２番目または３番目に表示するように中央寄りに配列しても良い。
【００８６】
なお、現在視聴中の番組のサービスＩＤの表示は、ユーザによる認識が容易であればよく、例えば現在視聴中のサービスＩＤを表示部１９の左端若しくは右端に表示してもよい。さらに、少なくともＥＰＧ画面の表示操作を行った場合の初期画面に現在視聴中のサービスＩＤが表示されればよい。ただし、ユーザによる認識のしやすさの観点から、表示部１９の表示画面の所定の位置に現在視聴中のサービスＩＤを配置することが望ましい。
【００８７】
図８は、本実施形態での表示部１９に表示されるＥＰＧ画面表示の別の一実施例を示す図である。
図８では、図７の説明と同様にして現在視聴中の番組の番組詳細を起動時の初期表示として表示する。番組詳細には、その番組の出演者や番組内容などを含めることができ、放送波からチューナ２２を介して番組配列情報を取得している場合はＥＩＴに含まれた番組詳細の一部または全部の内容を表示する。また、番組配列情報を外部ネットワーク１４から通信Ｉ／Ｆ１６や移動体通信Ｉ／Ｆ３１を介して取得している場合は、外部ネットワーク１４からＸＭＬなどの形式で提供される番組に関する情報の一部または全部を番組詳細として表示する。
【００８８】
図８の例では、番組１１１（女神の市場）が現在視聴中の番組であるので、この番組の番組詳細が起動時の初期表示として表示される。
このように、現在テレビ受信機で視聴中の番組をＥＰＧの中央に優先的に配列することにより、現在視聴しているチャンネルの番組情報の確認を行うことができ、今後の放送予定または前後のチャンネルの放送番組も現在視聴中の番組またはチャンネルを中心にして見たい番組を探したり、番組予約することができる。
【実施例３】
【００８９】
以下、本発明に係る第三の実施形態を、図６、図９〜図１５を用いて説明する。
なお、本実施形態では、第一の実施形態と比較し、異なるところを強調して説明する。
【００９０】
図９は、第三の実施形態に係る無線端末１５の構成のうちストレージ２５とメモリ３２を示している。図９において、無線端末１５は、ストレージ２５に番組予約データ３２０１、ＥＰＧ作成プログラム３００１、番組予約プログラム３００３を格納しており、制御部１７がＥＰＧ作成プログラム３００１、番組予約プログラム３００２をメモリ３２にＥＰＧ作成部３１０１、番組予約部３１０２として展開した状態を示している。ＥＰＧ作成プログラム３００１、番組予約プログラム３００２は、製品の出荷時点でストレージ２５に格納しておいてもよく、通信Ｉ／Ｆ１６や移動体通信Ｉ／Ｆ３１を介してダウンロードしてもよい。
【００９１】
録画予約データ３２０１および番組予約部３１０２の詳細は、第一の実施形態におけるテレビ受信機１の録画予約データ２２０１及び番組予約部２１０２と同様であるため、説明を省略する。
ストレージ２５は、入力手段２０が受け付けたユーザ操作に従い番組予約部３１０２により作成された予約情報を番組予約データ３２０１に格納する。また、通信Ｉ／Ｆ１２、通信Ｉ／Ｆ１６を経由して受け取ったテレビ受信機１の予約情報を番組予約データ３２０１に格納する。
【００９２】
また、制御部１７は、番組予約データ３２０１に保存された予約情報を通信Ｉ／Ｆ１６、通信Ｉ／Ｆ１２を経由して、制御部４に送信することができる。
【００９３】
ストレージ８は、入力手段６が受け付けたユーザ操作に従い番組予約部２１０２により作成された予約情報を番組予約データ２２０１に保存する。また、通信Ｉ／Ｆ１６、通信Ｉ／Ｆ１２を経由して受け取った無線端末１５の予約情報を番組予約データ２２０１に保存または上書き保存する機能を有する。さらに、制御部１７の要求により、ストレージ８の番組予約データ２２０１に保存された予約情報を通信Ｉ／Ｆ１２、通信Ｉ／Ｆ１６を経由して、制御部１７に送信することができる。
【００９４】
番組予約部２１０２は、予約情報に含まれる各設定項目についてプルダウン形式、チェックボックス形式などで設定内容を選択できるＧＵＩを作成し、入力手段６が受け付けたユーザ操作に従い、予約情報を作成する。
【００９５】
次に、図１０および図１１を用いて本実施形態のネットワーク端末システムに関連するデータ形式について説明する。
【００９６】
図１０は、予約情報のデータ形式の一例を示す図である。
予約情報は、図１０に示されるように、番組名２０１、日付、時刻、チャンネル２０２、録画モード、視聴／録画のデータから構成される。録画モードのデータは視聴／録画のデータが「録画」である場合のみ使用され、ＴＳ（放送画質）、ＴＳＥ（高画質・２倍）、ＴＳＸ４（高画質・４倍）、ＴＳＥ８（高画質・８倍）、ＴＳＸ２４（最長時間）のように録画の画質を示す。また、上記の例に加えて予約情報には、毎週同じ時間帯に録画を行うことを示す「毎回／毎週予約」、毎回／毎週予約で新しく録画する番組を前回録画した番組に上書きするかしないかを示す「更新録画設定」、録画した映像、音声のデータを保存するフォルダを指定する「フォルダ指定」、テレビ受信機１が複数の録画先（ＨＤＤ、ＤＶＤなど）を有す場合に予約録画する番組の録画先を示す「録画先」などの情報が含まれていても良い。
【００９７】
図１１は、予約情報のデータ形式の一変形例を示す図である。
図１１の予約情報のデータ形式は、図１０に比べて番組名２０１が無いが、この番組名などチャンネル２０２及び日付、時刻以外の番組に付随する情報は、無線端末１５のＥＰＧ作成部３１０１より作成されたＥＰＧ画面の番組情報を用いることもできる。さらには、ネットワークＩＤとサービスＩＤとイベントＩＤのように、番組を一意に特定できる情報（識別情報など）と、特定された番組の予約に関する情報（予約状態情報など）が送信されればよい。
【００９８】
このようにすることにより、テレビ受信機１と無線端末１５間の通信データの量を低減できることと、外部ネットワークまたは通信ネットワークから番組配列情報を入手できる場合は、番組情報量が多く詳細な表示が可能となる場合にも対応できる。
【００９９】
次に、図６、図９、図１２〜図１５を用いて、ユーザーが無線端末１５のＥＰＧを起動して番組予約をする場合の例について説明する。
【０１００】
入力手段２０により、番組予約マークの付いた番組を選択した場合について説明する。
【０１０１】
図１２は、ＥＰＧによる番組予約時の動作シーケンスの一例を示す図である。
ＥＰＧ表示に識別マークを表示するまでの処理（Ｓ４０５）までは、図４の説明と同様であるため省略する。ＥＰＧ表示に識別マークを表示した後、入力手段２０によりＥＰＧ画面の番組が選択され（Ｓ１２０１）、その番組が録画予約マーク付きの場合は（Ｓ１２０２：ＹＥＳ）、制御部１７は、制御部４に対して選択された番組の予約情報の送信を要求する（Ｓ１２０３）。予約情報の送信要求には、その番組の識別情報が含まれており、その識別情報は制御部１７がＥＰＧ作成部３１０１から取得される。
【０１０２】
制御部４は、予約情報の送信を要求された番組を、予約情報の送信要求に含まれる識別情報から特定し、番組予約データ２２０１を参照して要求された番組の予約情報を制御部１７に送信する。制御部１７は、制御部４から送信された予約情報を受信し（Ｓ１２０４）、図１３に示すように予約設定画面を表示する（Ｓ１２０５）。
【０１０３】
図１３は、図６で録画予約マーク１１０の付いた番組を選択したときの予約設定画面２０３の表示例を示す図である。
図１４は、予約詳細設定画面２０６の表示例を示す図である。
図６において、入力手段２０への入力によって録画予約マーク１１０の付いた番組「ヒラメキパーツ」が選択されると、図１３のように予約設定画面２０３が表示される。録画予約マークの付いた番組は、テレビ受信機１ですでに予約されている番組であるので、無線端末１５の制御部１７は、図１２の手順によりテレビ受信機１から予約情報を取得し、ストレージ２５の番組予約データ３２０１に一時保存する。
【０１０４】
番組予約部３１０２は、番組予約データ３２０１に一時保存された予約情報に含まれる識別情報を元にＥＰＧ作成部３１０１が取得した番組配列情報から番組の詳細情報を取得し、図１３に示す予約設定画面２０３を作成する。予約設定画面２０３には、番組の詳細情報と共に図１４の予約詳細設定画面２０６に移行するための「予約ボタン」２０４を備える。
【０１０５】
本実施例における予約情報には、「録画モード」と「視聴／録画」に関する情報が含まれているため、予約詳細設定画面２０６には予約情報から取得したこれらの情報が表示される。これらの情報は無線端末１５の入力手段２０が受け付ける入力により、例えばプルダウン形式などの変更可能な形式で表示され、「録画モード」は録画の画質の選択、「視聴／録画」は、視聴予約や録画予約の選択ができる。また、前述のように予約情報に他の情報が含まれている場合は、番組予約部３１０２はこれらの情報を予約詳細設定画面２０６に表示し、それぞれの情報を変更可能な形式で表示する。
【０１０６】
図１４の「予約するボタン」２０７は、予約詳細設定画面２０６で設定変更等を行った後に設定変更を確定するためのボタンである。「予約するボタン」２０７を選択すると、番組予約部３１０２は、変更を番組予約データ３２０１の予約情報に反映し、通信Ｉ／Ｆ１６を経由して、テレビ受信機１の制御部４に送信する。制御部４は、更新された予約情報を受信した場合、ストレージ８の番組予約データ２２０１に予約情報を上書き保存する。
次に、入力手段２０により、番組予約マークの付いていない番組を選択した場合について説明する。
【０１０７】
番組予約マークの付いていない番組が選択された場合、番組予約部３１０２は選択された番組の識別情報をＥＰＧ作成部３１０１から取得し、その識別情報により識別される番組の番組配列情報から番組の詳細情報を取得する。そして番組予約マークのついている番組が選択された場合と同様にして予約設定画面２０３、予約詳細設定画面２０６を表示する。ただし、その番組についての予約情報は作成されていないため、予約詳細設定画面の「録画モード」等は空白もしくはデフォルトで設定された値を入力し、ユーザによってこれらの値を変更可能な状態で表示させる。ユーザによる「予約する」ボタン２０７が選択された場合は、番組予約部３１０２は予約詳細設定画面２０６で設定された内容に基づき予約情報を作成し、通信Ｉ／Ｆ１６を経由して、テレビ受信機１の制御部４に送信する。制御部４は、予約情報を受信すると、ストレージ８の番組予約データ２２０１に予約情報を新規作成する。
次に、入力手段２０により、現在放送中の番組を選択した場合について説明する。
【０１０８】
図１５は、図６で放送中の番組を選択したときの予約設定画面２０８の表示例である。図１３と異なる箇所は、「録画ボタン」２２４、「選局ボタン」２０９が追加され、「予約ボタン」２０４がないことである。
【０１０９】
「選局ボタン」２０９は、現在放送中の番組を選択したときに表示されるもので、このボタンが選択されることにより、現在選択中の番組を一意に特定できる情報を含む選局情報を、上記予約情報と同様に制御部４に送信する。選局情報を受信した制御部４は、選局制御部５を経由してチューナ２を制御し、選択された放送中の番組を表示部１１に表示するように制御する。
【０１１０】
ここで、選局情報はネットワークＩＤとサービスＩＤ（チャンネル番号）から構成され、イベントＩＤは省略することができる。
【０１１１】
「録画ボタン」２２４は、現在放送中の番組を選択したときに表示されるもので、このボタンが選択されることにより、番組予約部３１０２は予約詳細設定画面２０６と同様の画面を表示させ、表示させた画面で入力された内容で予約情報と同様の情報を持つ録画情報を作成する。作成された録画情報は、通信Ｉ／Ｆ１６を経由して、テレビ受信機１の制御部４に送信され、制御部１は録画情報の記載に従って現在放送中の番組の録画を行う。なお、「録画ボタン」２２４が選択された場合に、「録画モード」等をデフォルトで設定された値で録画情報を作成して送信することも可能である。このようにすることで、現在放送中の番組を即座に録画できる。
このように、無線端末側でテレビ受信機の番組予約を新規に登録したり、予約済みの番組予約の変更も簡単に行うことができ、さらに無線端末およびテレビ受信機間のデータ通信量も抑えることができる。
【実施例４】
【０１１２】
以下、本発明に係る第四の実施形態を、図１６〜図２０を用いて説明する。
なお、本実施形態では、第三の実施形態と比較し、異なるところを強調して説明する。
【０１１３】
図１６（ａ）は、テレビ受信機１の構成のうちストレージ８とメモリ３７を示している。また、図１６（ｂ）は、無線端末１５の構成のうちストレージ２５とメモリ３２を示している。図１６（ａ）および（ｂ）において、テレビ受信機１および無線端末１５は、図１（ｄ）または図９の構成に加えてストレージ８、２５に認証データ３２０２および３２０２、機器認証プログラム２００４および３００４を格納しており、制御部４および１７が機器認証プログラム２００４および３００４をメモリ３７および３２に機器認証部２１０４および３１０４として展開した状態を示している。機器認証プログラム２００４および３００４は、製品の出荷時点でストレージ８および２５に格納しておいてもよく、通信Ｉ／Ｆ１２および１６または移動体通信Ｉ／Ｆ３１を介してダウンロードしてもよい。
【０１１４】
機器認証にあたり、テレビ受信機１にはユーザによる入力手段６を用いた入力によって設定された、若しくはテレビ受信機１の工場出荷前などに予め設定されたユーザーＩＤ及びパスワードなどの認証情報がストレージ８の認証データ２２０２に記憶されており、機器認証部２１０４はこれを参照できるものとする。また、上記の認証情報はユーザによる操作によって表示部１１に表示させたり、テレビ受信機１の購入時に添付された書類等によってユーザが確認できるものとする。
機器認証部３１０４は、テレビ受信機１からの認証を受けるために、入力手段２０が受け付けたユーザ操作によって入力された認証情報を認証データ３２０２に認証情報として保存し、通信Ｉ／Ｆ１６、通信Ｉ／Ｆ１２を経由して、機器認証部２１０４に対して送信する。
【０１１５】
機器認証部２１０４は、認証データ２２０２に記憶された認証情報と機器認証部３１０４から送信された認証情報を比較し、認証情報が一致する場合は、機器認証部３１０４に対して接続を認証する。一方、認証情報が誤っている場合には、機器認証部２１０４は機器認証部３１０４からの接続を認証しない。
【０１１６】
上記は認証方法の一例であり、例えば無線ＬＡＮでテレビ受信装置１と無線端末１５を接続する場合にＳＳＩＤ（Service Set Identifer）とＷＥＰキーまたはＷＰＳキーを用いた認証・暗号化方法を用いるなど、認証の方法や認証成功時に送受信する情報の暗号化の方法などは公知の技術を用いればよく、本実施例では特に限定をしない。
次に、入力手段２０により、表示部１９に表示されたＥＰＧ画面から番組予約を行う場合について説明する。
入力手段２０が受け付けたユーザ操作により、ＥＰＧ作成部３１０１はＥＰＧが面を作成し、表示部１９は図１７に示すＥＰＧ画面を表示する。
【０１１７】
図１７は、図６のＥＰＧ画面で番組２１０を選択したときのＥＰＧ画面の表示例である。番組２１０は、本実施例では選択箇所を示し、破線の四角枠で囲まれている。
【０１１８】
本実施例において、ＥＰＧ作成部３１０１はＥＰＧ画面に認証機器表示２１１または２１２を作成する。図１７のＥＰＧ画面では、認証機器表示２１１、２１２は、それぞれテレビ受信機１、テレビ受信機２４が認証または過去に認証されている状態を示しており、本実施例ではテレビ受信機１が現在認証（実線枠）されており、テレビ受信機２４は過去に認証（破線枠）されたが、現在は認証されていないことを示しており、認証履歴も同時に表示される。
【０１１９】
図１８は、現在認証されている接続機器の予約設定画面２１３の表示例を示す図である。図１７において、入力手段２０により番組２１０「水曜プレミアム」が選択されると、図１８のように予約設定画面２１３が表示部１９に表示され、第三の実施形態と同様に番組予約ができる。予約動作については、第三の実施形態と同様であり詳細な説明は省略する。
次に、過去に接続したことがあるが現在認証できていないテレビ受信機２４を選択して番組予約をする場合について説明する。このような例は、接続機器がＷｉ−Ｆｉ通信できない離れたところにある場合やスリープモードで待機している場合、または屋外で通信ネットワークから番組情報を入手しているようなケースを想定している。
【０１２０】
図１７では、テレビ受信機２４の認証表示２１２が破線枠で表示され、過去に認証（破線枠）されていることを示している。現在認証されている接続機器は、デフォルトで選択されているため、通常は接続機器を選択する必要はないが、現在認証されていない接続機器に対して番組予約をする場合は、予約に先立ち接続機器を選択する必要がある。
【０１２１】
図１９は、現在認証されていない接続機器の予約設定画面２１３の表示例を示す図である。図２０は、現在認証されていない接続機器の予約詳細設定画面２１４の表示例を示す図である。
【０１２２】
図１７において、上述のように番組２１０「水曜プレミアム」を選択すると、図１９のように予約設定画面２１４が表示され、「予約ボタン」２０４を選択すると図２０のように詳細設定画面２１５が表示される。
ここで、図２０の「予約するボタン」２０７を選択すると、接続機器が認証されていないために予約情報を一時的にストレージ２５の番組予約データ３２０１に一時的に保存して予約操作が終了する。
【０１２３】
その後、無線端末１５がＷｉ−Ｆｉ通信エリア外からエリア内に入った場合などアクセス可能になった場合に、テレビ受信機２４の機器認証部２１０４と無線端末１５の機器認証部２１０４が相互認証を行い、番組予約部３１０２は番組予約データ３２０１に保存されている予約情報を通信制御部１６を介してテレビ受信機２４に送信し、テレビ受信機２４の番組予約データ２２０１に番組予約として保存される。また、番組予約データ３２０１に保存されている予約情報の開始時刻が現在時刻より過去の時間であったり、過去の予約情報であった場合は、テレビ受信機２４に予約データを送信する前にエラー情報を表示部１９に表示するための情報を送信することもできる。
【０１２４】
本実施例では、２台のテレビ受信機の接続を例に説明しているが、ネットワークに複数台接続することを何ら制限するものではない。また、テレビ受信機２４が認証可能になった場合は、自動的に番組予約データ２２０１に保存された予約情報をテレビ受信機２４に送信されるような例で説明したが、テレビ受信機２４が認証可能になった時点で手動により予約情報を送信するようにしても良い。また、予約情報を一時的に番組予約データ２２０１に保存されているときは、その状態を表すために、アイコンなどにより一時保存状態を表示できるようにしても良い。また、無線端末１５の制御部１７が現在時刻を知ることができる場合であって、予約情報をテレビ受信機に送信しないまま予約情報が示す予約時刻に現在時刻が近づいた場合に、表示部１９への表示などによってユーザに警告することも可能である。
【０１２５】
このように、屋外で通信ネットワークから番組情報を取得してＥＰＧ画面上で番組を検索している場合などのように、録画したい番組を見つけた場合にその場で予約を入れておくことができ、帰宅してから家庭内のネットワークに接続できる状態になったときに、自動的に（または手動で）テレビ受信機に忘れずに番組予約転送ができる。
【実施例５】
【０１２６】
以下、本発明に係る第五の実施形態を、図１、図２１を用いて説明する。
なお、本実施形態では、第一の実施形態と比較し、異なるところを強調して説明する。
本実施例におけるシステム構成、テレビ受信機１、無線端末１５の各部の構成については、第一の実施形態と同じため説明を省略する。
【０１２７】
図２１は、チャンネル配列情報の一例を示す図である。チャンネル配列は、アナログ放送のチャンネル順にデジタル放送を並べる方法や、デジタル放送のサービスＩＤ(チャンネル番号)順に並べる方法、ユーザの任意の順に並べる方法などがある。図２１（ａ）はアナログ放送のチャンネル順であり、図２１（ｂ）はサービスＩＤ順である。
【０１２８】
制御部４は、ＥＰＧ作成部２１０１からＥＰＧ画面のサービスＩＤ（チャンネル番号）およびその配列を取得し、チャンネル配列情報を作成する。制御部４は、このチャンネル配列情報を、通信Ｉ／Ｆ１２、無線ルーター１３、通信Ｉ／Ｆ１６を経由して、制御部１７に送信する。制御部１７は、受信したチャンネル配列情報をＥＰＧ作成部３１０１に渡し、ＥＰＧ作成部３１０１は、テレビ受信機１のＥＰＧと同じチャンネル配列情報でＥＰＧ画面を作成する。
【０１２９】
第一の実施形態の図５および図６が、それぞれ本実施形態におけるテレビ受信機１および無線端末１５のＥＰＧのチャンネル配列を示している。
このように、チャンネル配置がテレビ受信機または無線端末で異なっている場合でも、ＥＰＧ画面でのチャンネル配列が同じになるため、同じような感覚でＥＰＧ画面を操作でき使い勝手が向上する。
【実施例６】
【０１３０】
以下、本発明に係る第六の実施形態を、図１（ａ）、図９、図１３および図１４を用いて説明する。
なお、本実施形態では、第三の実施形態と比較し、異なるところを強調して説明する。
本実施形態でのネットワーク端末システム、テレビ受信機１、無線端末１５の各部の構成については、第三の実施形態と同じため説明を省略する。
【０１３１】
本実施形態においては、制御部４は、ＥＰＧ作成部２１０１で作成されたＥＰＧのＥＰＧデータおよび番組の番組状態情報を、通信Ｉ／Ｆ１６を経由して制御部１７に送信する。ＥＰＧデータとは、番組配列情報に含まれる情報のうち、ＥＰＧを作成するために必要なデータを抜き出し、ＸＭＬ形式などのＥＰＧ作成部３１０１が解釈可能な形式に記載したものであり、番組状態情報を含んでいてもよい。
【０１３２】
また、ＥＰＧ作成部３１０１は、受信したＥＰＧデータによりＥＰＧ画面を作成し、表示部１９はＥＰＧ画面および番組の番組状態情報を表示する。
【０１３３】
番組予約部３１０２は、ＥＰＧ作成部３１０１で作成されたＥＰＧ画面で番組予約された録画予約などの予約情報を一時的に番組予約データ３２０２に保存し、保存された予約情報を通信Ｉ／Ｆ１６、通信Ｉ／Ｆ１２を経由して、番組予約部２１０２に送信することができる。
このように、テレビ受信機からＥＰＧデータを取得することにより、通信Ｉ／Ｆ１６等によって外部ネットワーク１４に接続できない場合であっても第三の実施形態と同様に番組予約を行うことができる。
【実施例７】
【０１３４】
以下、本発明に係る第七の実施形態を、図１７および図２２〜図２６を用いて説明する。
【０１３５】
なお、本実施形態では、第四の実施形態と比較し、異なるところを強調して説明する。
【０１３６】
図２２は、テレビ受信機１の構成のうちストレージ８とメモリ３７を示している。図２２において、テレビ受信機１は、第四の実施形態に加えてストレージ８に録画データ２２０３を備えている。録画データ２２０３には、ストレージ８およびデジタルＩ／Ｆ４４に接続された外部ストレージの残容量、および録画予約されている番組を録画した場合の予想サイズなどが格納される。
【０１３７】
番組予約部２１０２は、録画データ２２０３に格納されるストレージの残容量や、ストレージの残容量から上記の予想サイズを引いた残容量が不足していたり、ストレージが一杯になっていた場合や、番組予約数が最大になっていた場合、または予約時刻、チャンネル等の予約の重なりがあった場合等に、その旨を示す予約状態情報を制御部１７に送信する。
【０１３８】
次に、入力手段２０により、表示部１９のＥＰＧ画面に表示された番組表から番組予約を行う場合について説明する。
【０１３９】
図２３は、番組表から番組予約を行う場合の動作シーケンスの一例を示す図である。
【０１４０】
ＥＰＧ作成部３１０１は、入力手段２０によりＥＰＧ起動の指令を受けると、ＥＰＧ画面を作成する（Ｓ５０１）。
入力手段２０によりテレビ受信機１に事前に設定された認証情報が入力されると、認証情報は機器認証部３１０４により通信Ｉ／Ｆ１６、通信Ｉ／Ｆ１２を経由して、機器認証部２１０４に対して送信される。機器認証部２１０４は、機器認証部３１０４からの認証情報が正しい認証情報である場合は機器認証部３１０４に対して接続を認証する（Ｓ５０２）。
次に、図１７に示すように、入力手段２０により番組予約マークの付いていない番組２１０が選択されると（Ｓ５０３）、番組予約部３１０２は、ＥＰＧ作成部３１０１で作成されたＥＰＧ画面の番組情報を元に予約情報を作成し、表示部１９に図２４に示すように予約設定画面２１３を作成し、表示させる（Ｓ５０４）。
【０１４１】
次に、入力手段２０により図２４の「予約ボタン」２０４が選択されると（Ｓ５０５）、図２５に示すように制御部１７が作成した詳細設定画面２１５を表示部１９が表示する（Ｓ５０６）。
図２４は、予約設定画面２１３の表示例を示す図である。また、図２５は、詳細設定画面２１５の表示例を示す図である。
入力手段２０により図２５の「予約するボタン」２０７が選択されると（Ｓ５０７）、番組予約部３１０２は予約設定状態を予約情報として、通信Ｉ／Ｆ１６、通信Ｉ／Ｆ１２を経由して、テレビ受信機１の制御部４に送信する（Ｓ５０８）。
【０１４２】
番組予約部２１０２は、受け取った予約情報が有効な予約情報かどうか判別するために、ストレージ８の録画データ２２０３の必要データ量、番組予約数、番組予約の重なりなどをチェックする（Ｓ５０９）。予約情報が有効であれば予約情報を登録し正常終了する（Ｓ５０９：ＹＥＳ、Ｓ５１０）。有効でなければ、番組予約部３１０２に対して通信Ｉ／Ｆ１２、通信Ｉ／Ｆ１６を経由して、制御部１７に対して予約状態情報を送信する（Ｓ５０９：ＮＯ、Ｓ５１１）。有効でない場合とは、予約情報が示す番組の録画に必要なデータ量が録画データ２２０３の残容量を超えている場合、番組予約数が所定の数を超えている場合、同じ時間帯に２つの録画予約がされている場合、などである。なお、テレビ受信機１が複数番組の同時録画に対応している場合は同時録画可能な数を超えた録画予約がされた場合に有効でないと判断する。
【０１４３】
番組予約部３１０２は、録画データ２２０３の番組録画の予約番組数が最大になっている場合を例とすると、図２６に示すように予約状態情報表示２１６を表示し（Ｓ５１２）、ユーザーに対して「予約がいっぱいです」等のメッセージ内容を示す。
図２６は、予約状態情報表示２１６の表示例を示す図である。
【０１４４】
本実施例では、番組予約マークの付いていない番組を選択した場合について説明したが、番組予約マークの付いている番組を選択して、予約内容を変更した場合も同様に予約状態情報に基づいた表示ができる。番組予約マークの付いた番組を選択して、予約内容を変更しない場合は、すでにテレビ受信機１側で確定している予約情報のため、上記ステップＳ５０９〜Ｓ５１２の動作は必ずしも行う必要はない。
【０１４５】
また、変形例として、録画データ２２０３の番組録画データ量が番組録画に必要なデータ量に満たない場合は、予約状態情報に基づいて現在設定されている録画モードよりさらに画質を落としたモードに自動的に設定することや、残容量が足りない旨を表示して画質を落としたモードで録画するか否かをユーザに問い合わせる表示をすることもできる。画質を落としたモードで録画することが選択された場合、番組予約部３１０２は、予約情報を作成若しくは更新し、番組予約データ３２０１に格納し、番組予約部２１０２に予約情報を送信する。
【０１４６】
また、テレビ受信機１側で視聴予約や録画予約を開始する場合に、予約開始に合わせて予約動作を開始した旨を示す情報等を無線端末１５側に送信することができ、無線端末１５の表示部１９にテレビ受信機１の状態及び録画若しくは視聴状態を表示することもできる。
【０１４７】
このように、無線端末側で番組予約を行った場合でも、テレビ受信機側の予約状態を知ることができ、ユーザーに対してメッセージを表示したり、自動的に設定を変更するなどにより、正しく番組予約を行うことができる。
【実施例８】
【０１４８】
以下、本発明に係る第八の実施形態を、図２７〜図３３を用いて説明する。
【０１４９】
なお、本実施形態では、第七の実施形態と比較し、異なるところを強調して説明する。
【０１５０】
本実施形態でのネットワーク端末システムや、テレビ受信機１、無線端末１５の各部の構成については、第七の実施形態と同じため説明を省略する。
【０１５１】
本実施形態においては、機器認証部３１０４は、ユーザーを区別するために機器認証時に無線端末１５に固有のユーザー属性ＩＤを生成し、個人認証情報としてストレージ８の認証データ３２０２に格納する機能を有する。ユーザー属性ＩＤの作成は、例えば下記のように行われる。機器認証部３１０４は、ユーザー属性ＩＤと前述の認証情報の入力画面を表示部１９に表示させ、入力手段２０から入力画面に入力された情報を機器認証部２１０４に送信する。機器認証部２１０４によって認証情報が正しいことが確認された場合は、ユーザー属性ＩＤを個人認証情報として認証データ２２０２に格納し、必要な場合に参照する。また、テレビ受信機１の表示部１１に表示された入力画面に入力手段６を用いてユーザー属性ＩＤを入力させ、これをストレージ８に格納する方法も可能である。
【０１５２】
さらに、無線端末１５が携帯電話などの個人用の端末である場合には、ＭＡＣアドレスなどの機器固有の情報をユーザー属性ＩＤとすることも可能である。この場合は第四の実施形態で説明した認証手順において、認証情報を送信する場合にＭＡＣアドレスを送信することでユーザー属性ＩＤの作成を行うことができる。
【０１５３】
また、機器認証部２２０４は、ユーザー属性ＩＤと任意に定められたパスワードなどを用いたユーザーのログインなどによって現在無線端末１５を使用しているユーザーのユーザー属性ＩＤを取得し、録画予約等の情報を送信する場合にはユーザー属性ＩＤを送信する。
【０１５４】
番組予約部３１０２は、入力手段２０によりＥＰＧ作成部３１０１で作成されたＥＰＧで録画予約などの番組予約した予約情報と機器認証部３１０４で生成されたユーザー属性ＩＤを関連付けして番組予約データ３２０１に一時的に保存する機能を有する。
【０１５５】
次に、図２７を用いて本実施形態のネットワーク端末システムに関連するデータ形式について説明する。図２７は、予約情報のデータ形式の一例を示す図である。
図２７に示すように、予約情報は、番組名２０１、日付、時刻、チャンネル２０２、録画モード、視聴／録画のデータ、ユーザー属性ＩＤ２１７から構成され、第三の実施形態の図１０に対してユーザー属性ＩＤ２１７が追加になっている。また、ユーザー属性ＩＤ２１７は、他の予約情報と関連付けされて録画データ２２０３に保存または番組予約データ３２０１に一時保存される。
【０１５６】
図２８には、本実施形態におけるＥＰＧによる番組予約時の動作シーケンスの一例を示す図である。図２９には、本実施形態における番組予約内容の変更等を行う場合の動作シーケンスの一例を示す図である。
本実施形態においては、第七の実施形態の図２３に対して、図２８ではＳ６０１のステップが追加になっており、図２９では、ステップＳ７０１、Ｓ７０２が追加になっている。ステップＳ５０１、Ｓ５０２およびＳ５０９〜Ｓ５１２は、図２３の説明と同様であるため詳細の説明は省略する。
【０１５７】
次に、図２８を参照しながらＥＰＧによる番組予約時の動作について説明する。
図１７に示すように、入力手段２０により番組予約マークの付いていない番組２１０が選択されると（Ｓ５０３）、無線端末１５の制御部１７は、ＥＰＧ作成部３１０１で作成されたＥＰＧ画面の番組情報を元に予約情報を作成し、表示部１９に図２４に示すような予約設定画面２１３を表示させる（Ｓ５０４）。この予約設定画面２１３で、「予約ボタン」２０４が選択されると（Ｓ５０５）、制御部１７は図２５に示すような詳細設定画面２１５を表示部１９に表示させる（Ｓ５０６）。
ここで、図２５の「予約するボタン」２０７が選択されると（Ｓ５０７）、機器認証部３１０４はユーザー属性ＩＤ２１７をストレージ８から読みだし（Ｓ６０１）、制御部１７は予約設定状態とユーザー属性ＩＤ２１７を予約情報として、通信Ｉ／Ｆ１６、通信Ｉ／Ｆ１２を経由して、テレビ受信機１の制御部４に送信する（Ｓ５０８）。
さらに、図２３のステップと同様に、予約情報が有効であれば録画データ２２０３に予約情報を登録する。
【０１５８】
次に、図２９を参照しながら番組予約内容の修正等を行う場合の動作について説明する。
【０１５９】
図３０は、番組予約マークの付いている番組２１８を選択したときのＥＰＧ画面の表示例を示す図である。
図３０に示すように、入力手段２０により番組予約マークの付いている番組２１８を選択すると（Ｓ５０３）、番組予約マーク付き番組の場合は（Ｓ７０１：ＹＥＳ）、無線端末１５の制御部１７は、予約情報の送信要求を行い（Ｓ７０２）、テレビ受信機１から予約情報を取得し（Ｓ７０３）、ストレージ２５の番組予約データ３２０１に一時保存する。また、表示部１９に図３１に示すような予約設定画面２１３を表示する（Ｓ５０４）。
図３１は、予約設定画面２１３の表示例を示す図である。
【０１６０】
図３１の「予約ボタン」２０４が選択されると（Ｓ５０５）、無線端末１５の番組予約部３１０２は、図１２と同様の手順によりテレビ受信機１から予約情報を取得し、予約設定状態を予約情報として、通信Ｉ／Ｆ１６、通信Ｉ／Ｆ１２を経由して、テレビ受信機１の番組予約部２１０２に送信する（Ｓ５０８）。
【０１６１】
制御部１７は、予約情報に登録されたユーザー属性ＩＤ２１７と機器認証部３１０４から取得したユーザー属性ＩＤとを比較し、同じ場合（Ｓ７０４：ＹＥＳ）は、図３２に示すような詳細設定画面２１５が表示する（Ｓ５０６）。もし、一致しない場合（Ｓ７０４：ＮＯ）は、図３３に示すような予約状態情報表示２１９を表示し（Ｓ７０５）、ユーザーに対して「変更する権限がありません」等のメッセージ内容を示す。
図３２は、詳細設定画面２１３の表示例を示す図である。また、図３３は、予約状態情報表示２１９の表示例を示す図である。
さらに、図２３のステップと同様に、修正後の予約情報が有効であれば録画データ２２０３に予約情報を登録する。
【０１６２】
本実施例では、無線端末は無線端末１５のみを接続する場合について説明したが、複数の無線端末が存在する場合も同様に、無線端末に固有のユーザー属性ＩＤを生成することにより、無線端末を識別することができる。
【０１６３】
また、変形例として、無線端末側で番組予約を行っている、または番組予約内容を更新している場合等で、テレビ受信機側で操作されると状態に不整合が生じる場合があるが、テレビ受信機が無線端末の接続を許可している場合は、テレビ受信機側で番組予約の操作を行おうとした時にメッセージを表示したり、操作を制限することもできる。
【０１６４】
このように、番組予約登録したユーザー以外のユーザーの無線端末からテレビ受信機の番組予約の変更等ができないように制限をかけることが可能となる。
【実施例９】
【０１６５】
以下、本発明に係る第九の実施形態を、図３４〜図４０を用いて説明する。
【０１６６】
なお、本実施形態では、第七の実施形態と比較し、異なるところを強調して説明する。
【０１６７】
図３４は、無線端末１５の構成のうちストレージ２５とメモリ３２を示している。図３４は、第七の実施形態に加えてストレージ２５に録画データ３２０３を格納しており、無線端末１５側でも番組予約の実行ができる機能を有する。また、番組予約の予約対象機器として、テレビ受信機または無線端末をそれぞれ番組予約に設定する機能を有する。
【０１６８】
次に、図３５を用いて本実施形態のネットワーク端末システムに関するデータ形式について説明する。図３５は、複数の番組の予約情報をリスト化したもののデータ形式の一例を示す図である。
図３５に示すように、予約情報は、予約番号２２０、番組名２０１、日付、時刻、チャンネル２０２、録画モード、視聴／録画、予約対象機器２２１のデータから構成され、第三の実施形態の図１０に対して、予約番号２２０および予約対象機器２２１が追加になっている。予約番号２２０は、複数予約を行う場合に予約内容を区別するための説明に用いているが、第三の実施形態との本質的な差異ではなく、また第三の実施形態での使用を制限するものでない。
また、本実施例では、予約対象機器２２１として、テレビ受信機１、テレビ受信機２４および無線端末１５は、それぞれ「ＴＶ１」、「ＴＶ２」および「端末」としている。
【０１６９】
図３６には、本実施形態におけるＥＰＧによる番組予約時の動作シーケンスの一例を示す図である。
本実施形態においては、第七の実施形態の図２３に対して、図３６ではステップＳ８０１、Ｓ８０２およびＳ８０３が追加になっている。ステップＳ８０１およびＳ８０２は、無線端末側での番組予約かまたはテレビ受信側での番組予約かを判断するためのステップである。また、ステップＳ８０３は、番組予約データ３２０１に番組予約データを保存するためのステップである。ステップＳ５０２、Ｓ５０８〜Ｓ５１２については、図２３の説明と同様であるため詳細の説明は省略する。
【０１７０】
次に、図３６を参照しながらＥＰＧによる番組予約時の動作について説明する。
入力手段２０により、表示部１９のＥＰＧ画面に表示された番組表から番組予約を行う場合について説明する。
【０１７１】
ＥＰＧ作成部３１０１は、入力手段２０によりＥＰＧ起動の指令を受けると、図３７に示すようにＥＰＧ画面を作成する（Ｓ５０１）。
図３７は、番組予約マークの付いていない番組２１０が選択されたときのＥＰＧ画面の表示例を示す図である。
図３７のＥＰＧ画面の下方には、認証機器表示２１１、２１２と無線端末を選択するための端末選択表示２２２が表示される。本実施例では、認証機器表示２１１はテレビ受信機１（ＴＶ１）、認証機器表示２１２はテレビ受信機２４（ＴＶ２）を示しており、事前にテレビ受信機１またはテレビ受信機２４に設定された認証情報が入力され、認証に成功している状態を示している。認証を行っていない装置や認証に失敗した装置の情報は個々には表示されない。
【０１７２】
次に、図３７で端末選択表示２２２が選択された場合について説明する。図３７で認証機器表示２１１、２１２を選択したときの動作については、第七の実施形態の図２３の動作と同様のため説明を省略する。
図３７に示すように、入力手段２０により端末選択表示２２２が選択され（Ｓ８０１：ＹＥＳ）、番組予約マークの付いていない番組２１０が選択されると（Ｓ５０３）、番組予約部３１０２は、ＥＰＧ作成部３１０１で作成されたＥＰＧ画面の番組情報を元に予約情報を作成し、作成した予約設定画面２１４を図３８のように表示部１９に表示させる（Ｓ５０４）。
【０１７３】
図３８で、「予約ボタン」２０４が選択されると（Ｓ５０５）、図３９に示すように詳細設定画面２１５を表示させる（Ｓ５０６）。
図３８は、予約設定画面２１３の表示例を示す図である。また、図３９は、詳細設定画面２１５の表示例を示す図である。
ここで、図３９の「予約するボタン」２０７が選択されると（Ｓ５０７）、分組み予約部３１０２は、番組予約が無線端末１５の予約であるため（Ｓ８０２：ＹＥＳ）、予約情報を番組予約データ３２０３に保存する（Ｓ８０３）。
【０１７４】
図４０は、番組予約一覧を無線端末１５に表示した場合の例である。番組予約部３１０２は、各テレビ受信機から予約情報を取得し、無線端末側の予約も含めて番組予約一覧表示２２３を作成して表示部１９に表示させ、ユーザーは予約内容を確認することができる。また、入力手段２０を利用して予約対象機器２２１を修正することにより、例えばテレビ受信機１で予約していたものをテレビ受信機２４に変更したりすることができるため、番組の重なり等で予約できない場合も予約対象機器２２１を変更することにより予約が可能となるように変更することができる。
【０１７５】
また、変形例としては、第八の実施形態と組み合わせることにより、番組予約の修正等を特定ユーザーに制限することもできる。
【０１７６】
このように、予約対象機器として無線端末側と各テレビ受信機側で同様の方法でシームレスに番組予約を行うことができる。また、予約対象機器間で重複している予約をキャンセルしたり、空いている機器へ振り替え予約を行うこともでき、利便性が向上する。
【０１７７】
なお、本発明は上記した実施例に限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１７８】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１７９】
また、制御線や情報線は説明上必要と考えられるものを示しており、製品上必ずしも全ての制御線や情報線を示しているとは限らない。実際には殆ど全ての構成が相互に接続されていると考えてもよい。
【０１８０】
また、上記実施例では、表示部１１を備えたＴＶ１、ＴＶ２等を用いて実施例の説明を行ったが、表示部を外部に備えたレコーダ等によっても同様にして本発明を実施することができる。
【符号の説明】
【０１８１】
１  テレビ受信機
２  チューナ・復調部
３  信号分離部
４  制御部
５  選局制御部
６  入力手段
８  ストレージ
１０  重畳部
１１  表示部
１２  通信Ｉ／Ｆ
１３  無線ルーター
１４  外部ネットワーク
１５  無線端末
１６  通信Ｉ／Ｆ
１７  制御部
１９  表示部
２０  入力手段
２１  信号分離部
２２  チューナ
２４  テレビ受信機
２５  ストレージ
３２  メモリ
３３  加速度センサ部
３４  地磁気センサ部
３５  ＧＰＳ受信部
３６  ジャイロセンサ部
３７  メモリ
３９  音声復号部
４０  映像復号部
４１  スピーカ
４２  音声出力部
４３  映像出力部
４４  デジタルＩ／Ｆ
【図１（ａ）】
0005793039.tif 000002
【図１（ｂ）】
0005793039.tif 000003
【図１（ｃ）】
0005793039.tif 000004
【図１（ｄ）】
0005793039.tif 000005
【図１（ｅ）】
0005793039.tif 000006
【図２】
0005793039.tif 000007
【図３】
0005793039.tif 000008
【図４】
0005793039.tif 000009
【図５】
0005793039.tif 000010
【図６】
0005793039.tif 000011
【図７】
0005793039.tif 000012
【図８】
0005793039.tif 000013
【図９】
0005793039.tif 000014
【図１０】
0005793039.tif 000015
【図１１】
0005793039.tif 000016
【図１２】
0005793039.tif 000017
【図１３】
0005793039.tif 000018
【図１４】
0005793039.tif 000019
【図１５】
0005793039.tif 000020
【図１６（ａ）】
0005793039.tif 000021
【図１６（ｂ）】
0005793039.tif 000022
【図１７】
0005793039.tif 000023
【図１８】
0005793039.tif 000024
【図１９】
0005793039.tif 000025
【図２０】
0005793039.tif 000026
【図２１】
0005793039.tif 000027
【図２２】
0005793039.tif 000028
【図２３】
0005793039.tif 000029
【図２４】
0005793039.tif 000030
【図２５】
0005793039.tif 000031
【図２６】
0005793039.tif 000032
【図２７】
0005793039.tif 000033
【図２８】
0005793039.tif 000034
【図２９】
0005793039.tif 000035
【図３０】
0005793039.tif 000036
【図３１】
0005793039.tif 000037
【図３２】
0005793039.tif 000038
【図３３】
0005793039.tif 000039
【図３４】
0005793039.tif 000040
【図３５】
0005793039.tif 000041
【図３６】
0005793039.tif 000042
【図３７】
0005793039.tif 000043
【図３８】
0005793039.tif 000044
【図３９】
0005793039.tif 000045
【図４０】
0005793039.tif 000046